(57)【要約】      （修正有）【課題】建築物の外壁面等の対象壁状面に沿って植物を栽培するための植栽体を可及的に容易に固定支持し得る植栽体整列支持体及び植栽体支持体並びに植栽体支持構造の提供。【解決手段】植栽体整列支持体Ｐ・Ｑ・Ｒ等を、垂直状の対象壁状面Ｗに沿って上下垂直方向に並列状に固定する。植栽体整列支持体Ｐと植栽体整列支持体Ｑの間に、上から順に植栽体Ａ１乃至Ａ４を、植物栽培面１０が垂直状に正面を向く状態で上下整列状に固定支持する。植栽体Ａ１の四隅の被固定部は植栽体固定部によって固定支持する。植栽体整列支持体Ｑと植栽体整列支持体Ｒの間には、上から順に植栽体Ｂ１乃至Ｂ４を同様に固定支持する。【選択図】図１
2019024403.tif 000002
【特許請求の範囲】
【請求項１】
対象壁状面に沿って所定方向に延びるように対象壁状面に固定される植栽体整列支持体であって、
対象壁状面に固定された状態においてその対象壁状面に相対する基部と、
前記所定方向の間隔おきに設けられた植栽体固定領域を有し、
各植栽体固定領域において、基部の両側部にそれぞれ立上部を有し、基部が対象壁状面に相対するよう対象壁状面に固定された状態において、前記基部の一方の側の立上部及び前記基部の他方の側の立上部により、それぞれ植栽体固定部が対象壁状面から離隔した位置に支持され、
前記基部の一方の側の立上部により支持される植栽体固定部と、前記基部の他方の側の立上部により支持される植栽体固定部は、前記所定方向に交差する方向に相対して位置することを特徴とする植栽体整列支持体。
【請求項２】
上記植栽体固定領域の１以上において、上記基部の一方の側の立上部及び上記基部の他方の側の立上部により、それぞれ、上記所定方向に相対する一対の上記植栽体固定部が支持され、
前記基部の一方の側の立上部により支持される前記一対の植栽体固定部と、前記基部の他方の側の立上部により支持される前記一対の植栽体固定部は、前記所定方向に交差する方向に相対して位置する請求項１記載の植栽体整列支持体。
【請求項３】
上記植栽体整列支持体が、上記所定方向に直交する方向の横断面において底部の両側にそれぞれ起立部を有する溝形状をなす溝形断面材からなり、
前記底部が対象壁状面に固定される基部であり、
前記所定方向の間隔おきに有する植栽体固定領域における両起立部がそれぞれ立上部を構成し、
それらの立上部の立上側にそれぞれ植栽体固定部が支持されている請求項１又は２記載の植栽体整列支持体。
【請求項４】
請求項１乃至３の何れか１項に記載の植栽体整列支持体の植栽体固定領域における植栽体固定部と共に植栽体を支持するための、対象壁状面に沿って所定方向に延びるように対象壁状面に固定される植栽体整列支持体であって、
対象壁状面に固定された状態においてその対象壁状面に相対する基部と、
前記所定方向の間隔おきに設けられた植栽体固定領域を有し、
基部が対象壁状面に相対するよう対象壁状面に固定された状態において、各植栽体固定領域において、基部の一方の側部に立上部を有し、前記立上部により、植栽体固定部が対象壁状面から離隔した位置に支持され、
前記植栽体固定領域の１以上において、所定方向に相対する一対の前記植栽体固定部が前記支持部により支持される植栽体支持体。
【請求項５】
上記植栽体整列支持体が、上記所定方向に直交する方向の横断面において底部の両側にそれぞれ起立部を有する溝形状をなす溝形断面材からなり、
前記一方の起立部が対象壁状面に固定される基部であり、
前記所定方向の間隔おきに有する植栽体固定領域における前記底部が立上部を構成し、
その立上部の上側に支持される前記他方の起立部に植栽体固定部が設けられている請求項４記載の植栽体整列支持体。
【請求項６】
上記基部と立上部と植栽体固定部が一体的に成形されたものである請求項１乃至５の何れか１項に記載の植栽体整列支持体。
【請求項７】
請求項１乃至３の何れか１項に記載の植栽体整列支持体が１又は２以上、請求項４又は５に記載の植栽体整列支持体が０又は１以上、両者の合計が２以上の植栽体整列支持体が対象壁状面に固定されており、
対象壁状面に固定されている前記２以上の植栽体整列支持体の各植栽体固定領域における植栽体固定部により植栽体が支持されてなる植栽体支持構造。
【請求項８】
上記所定方向が直線状である上記２以上の植栽体整列支持体が、互いに平行状に対象壁状面に固定され、各植栽体が、隣り合う植栽体整列支持体同士の植栽体固定領域の植栽体固定部により支持されている請求項７記載の植栽体支持構造。
【請求項９】
隣り合う植栽体整列支持体同士の植栽体固定領域が上記所定方向に直交する方向において隣り合っている請求項８記載の植栽体支持構造。
【請求項１０】
対象壁状面に固定される植栽体支持体であって、
対象壁状面に固定された状態においてその対象壁状面に相対する基部の両側部に、互いに相対する立上部をそれぞれ有し、
前記基部が対象壁状面に相対するよう対象壁状面に固定された状態において、前記基部の一方の側の立上部及び前記基部の他方の側の立上部により、それぞれ植栽体固定部が対象壁状面から離隔した位置に支持され、
前記基部の一方の側の立上部により支持される植栽体固定部と、前記基部の他方の側の立上部により支持される植栽体固定部は、前記両立上部が相対する方向に相対して位置することを特徴とする植栽体支持体。
【請求項１１】
上記基部の一方の側の立上部及び上記基部の他方の側の立上部により、それぞれ、両立上部が相対する方向に直交すると共に基部に平行な方向に相対する一対の上記植栽体固定部が支持され、
前記基部の一方の側の立上部により支持される前記一対の植栽体固定部と、前記基部の他方の側の立上部により支持される前記一対の植栽体固定部は、前記両立上部が相対する方向に相対して位置する請求項１０記載の植栽体支持体。
【請求項１２】
上記植栽体支持体が、上記両立上部が相対する方向の横断面において底部の両側にそれぞれ起立部を有する溝形状をなす溝形断面材からなり、
前記底部が対象壁状面に固定される基部であり、
前記両起立部がそれぞれ立上部を構成し、
それらの立上部の立上側にそれぞれ植栽体固定部が支持されている請求項１０又は１１記載の植栽体支持体。
【発明の詳細な説明】
【技術分野】
【０００１】
本発明は、建築物やその他の構造物の外壁面等の垂直状又は傾斜状の対象壁状面に沿って植物を栽培するための植栽体を固定支持するために対象壁状面に固定される植栽体整列支持体及び植栽体支持体、並びに植栽体整列支持体により植栽体が固定支持された植栽体支持構造に関する。
【背景技術】
【０００２】
特許第５７９８４２３号公報における明細書の段落００７３乃至００７８には、植物栽培装置Ｕ１を支持固定器Ｘを用いて、図１３に示すように壁面等に対し所要数を上下左右に配列して固定する発明が次のように記載されている。
「支持固定器Ｘは、前方に突出する水平板状の前支持部Ｘ１と、後方に延びる水平板状の被支持部Ｘ２と、前支持部Ｘ１の後端縁からそれぞれ上下に突出する垂直板状の上被固定部Ｘ３及び下被固定部Ｘ４からなる。
【０００３】
被支持部Ｘ２の後端部の両側には、それぞれ固定用孔Ｘａが設けられている。
【０００４】
上被固定部Ｘ３及び下被固定部Ｘ４のそれぞれ上下中間位置の両側にナット用孔Ｘｂが形成され、その背面側に、ナット用孔Ｘｂと同軸状に固定ナットＸｃが固着されている。
【０００５】
壁面Ｗに対する支持固定器Ｘの固定は、図７に示すように、例えば、山形鋼Ｙ（Ｌ形鋼）を介して行うことができる。すなわち、山形鋼Ｙの一辺部Ｙ１を、他辺部Ｙ２が上方に位置するように壁面Ｗに対し水平状に固定し、支持固定器Ｘの被支持部Ｘ２が他辺部Ｙ２上に支持されるように例えばボルトとナット等により固定することにより、壁面Ｗに対する支持固定器Ｘの固定を行うことができる。
【０００６】
例えば、植物栽培装置Ｕ１の高さに対応する上下方向位置毎に、山形鋼Ｙ（Ｌ形鋼）を前記のように壁面Ｗに対し水平状に固定し、各山形鋼Ｙにおける植物栽培装置Ｕ１の横幅に対応する所定の水平方向位置毎に、前記のように支持固定器Ｘを固定することができる。
【０００７】
その上で、水平方向に隣接する一対の支持固定器Ｘと、それらの垂直下方に隣接する一対の支持固定器Ｘに対し、植物栽培装置Ｕ１の四隅部を固定する。すなわち、植物栽培装置Ｕ１の四隅部の連結用孔部Ｎａ、連結用孔部Ｂａ、及び連結用孔部Ａａを連結している結合体Ｌにおける貫通部Ｌ４に対しそれぞれ固定ボルトＴを挿通し、下側の一対の支持固定器Ｘの前支持部Ｘ１上に植物栽培装置Ｕ１の下側の両隅部を支持させ、左側の固定ボルトＴを左側の上下の支持固定器Ｘにおけるそれぞれ右側の固定ナットＸｃに締結し、右側の固定ボルトＴを右側の上下の支持固定器Ｘにおけるそれぞれ左側の固定ナットＸｃに締結することにより、支持固定器Ｘによる植物栽培装置Ｕ１の支持及び支持固定器Ｘに対する植物栽培装置Ｕ１の固定を行うことができる。同様に、全ての植物栽培装置Ｕ１を上下左右に隣接配列して支持固定器Ｘにより支持させると共に支持固定器Ｘに固定することができる。」
【０００８】
しかしながら、この場合、山形鋼Ｙを壁面Ｗに固定し、その山形鋼Ｙの各所定位置に複数の支持固定器Ｘを固定し、それらの支持固定器Ｘに対し植物栽培装置Ｕ１を固定する作業を要し施工がかなり煩雑となる。
【先行技術文献】
【特許文献】
【０００９】
【特許文献１】特許第５７９８４２３号公報
【発明の概要】
【発明が解決しようとする課題】
【００１０】
本発明は、建築物やその他の構造物の外壁面等の垂直状又は傾斜状の対象壁状面に沿って植物（特に蔓植物のように他物に攀じ登る植物以外の植物）を栽培するための植栽体を可及的に容易に固定支持し得る植栽体整列支持体及び植栽体支持体並びに植栽体支持構造を提供することを目的とする。
【課題を解決するための手段】
【００１１】
本発明の植栽体整列支持体、植栽体支持構造及び植栽体支持体は、次のように表すことができる。
【００１２】
(1) 対象壁状面に沿って所定方向に延びるように対象壁状面に固定される植栽体整列支持体であって、
対象壁状面に固定された状態においてその対象壁状面に相対する基部と、
前記所定方向の間隔おきに設けられた植栽体固定領域を有し、
各植栽体固定領域において、基部の両側部にそれぞれ立上部を有し、基部が対象壁状面に相対するよう対象壁状面に固定された状態において、前記基部の一方の側の立上部及び前記基部の他方の側の立上部により、それぞれ植栽体固定部が対象壁状面から離隔した位置に支持され、
前記基部の一方の側の立上部により支持される植栽体固定部と、前記基部の他方の側の立上部により支持される植栽体固定部は、前記所定方向に交差する方向に相対して位置することを特徴とする植栽体整列支持体。
【００１３】
この植栽体整列支持体Ｐを、基部が対象壁状面に相対する状態でその対象壁状面に沿って所定方向に延びるように対象壁状面に固定支持することにより、各植栽体固定領域において、基部の一方の側の立上部及び他方の側の立上部によりそれぞれ対象壁状面から離隔した位置に支持された植栽体固定部により、それぞれ、植栽体の被固定部を固定支持することができる。
【００１４】
各植栽体固定領域において、植栽体固定部は、基部の一方の側の立上部及び他方の側の立上部によりそれぞれ支持されて所定方向に交差する方向に相対して位置するので、例えば、一方の側の植栽体固定部により一方側に位置する植栽体Ａ１の（何れかの）被固定部を固定支持し得、他方の側の植栽体固定部により他方側に位置する植栽体Ｂ１の（何れかの）被固定部を固定支持し得る。
【００１５】
また、対象壁状面に対し、前記植栽体整列支持体Ｐの一方の側に離隔して別の一方の植栽体整列支持体Ｑを固定支持することにより、前記一方側の植栽体Ａ１の他の被固定部を前記別の一方の植栽体整列支持体Ｑの植栽体固定領域における植栽体固定部により固定支持することができる。前記植栽体整列支持体Ｐの他方の側に離隔して別の他方の植栽体整列支持体Ｒを固定した場合は、同様に前記他方側に位置する植栽体Ｂ１の他の被固定部を同様に固定支持することができる。
【００１６】
各植栽体整列支持体（前記植栽体整列支持体Ｐ、前記別の一方の植栽体整列支持体Ｑ、前記別の他方の植栽体整列支持体Ｒ等）における植栽体固定領域は所定方向の間隔おきに設けられる。そのため、例えば植栽体が正面視において方形状でありその四隅部に有する各被固定部を植栽体固定部により固定支持する必要がある場合のように植栽体の形態に応じて有する各被固定部を植栽体固定部により固定支持する必要がある場合に、被固定部同士の位置関係に応じた間隔おきに植栽体固定領域を設けて各植栽体固定領域の植栽体固定部により植栽体を適切に固定支持することができる。また、複数の植栽体における各被固定部を、所定方向の間隔おきに設けられた各植栽体固定領域における植栽体固定部によりそれぞれ固定支持することにより、それらの植栽体を所定方向に整列支持することが可能である。
【００１７】
(2) 上記植栽体固定領域の１以上において、上記基部の一方の側の立上部及び上記基部の他方の側の立上部により、それぞれ、上記所定方向に相対する一対の上記植栽体固定部が支持され、
前記基部の一方の側の立上部により支持される前記一対の植栽体固定部と、前記基部の他方の側の立上部により支持される前記一対の植栽体固定部は、前記所定方向に交差する方向に相対して位置する上記(1)記載の植栽体整列支持体。
【００１８】
この場合、１以上の各植栽体固定領域において、所定方向に相対する一対の植栽体固定部が、基部の一方の側の立上部及び他方の側の立上部によりそれぞれ支持されて所定方向に交差する方向に相対して位置する。
【００１９】
そのため、例えば、１つの植栽体固定領域において、一方の側における所定方向に相対する一対の植栽体固定部により、一方の側において所定方向に相対して位置する一つの植栽体Ａ１の被固定部及び他の植栽体Ａ２の被固定部をそれぞれ固定支持することができ、他方の側における所定方向に相対する一対の植栽体固定部により、他方の側において所定方向に相対して位置する一つの植栽体Ｂ１の被固定部及び他の植栽体Ｂ２の被固定部をそれぞれ固定支持することができる。
【００２０】
また、前記１つの植栽体固定領域と所定方向に間隔をおいて設けられた植栽体固定領域において、一方の側における所定方向に相対する一対の植栽体固定部により、一方の側において所定方向に相対して位置する一つの前記植栽体Ａ２の被固定部及び他の植栽体Ａ３の被固定部をそれぞれ固定支持することができ、他方の側における所定方向に相対する一対の植栽体固定部により、他方の側において所定方向に相対して位置する一つの前記植栽体Ｂ２の被固定部及び他の植栽体Ｂ３の被固定部をそれぞれ固定支持することができる。
【００２１】
(3) 上記植栽体整列支持体が、上記所定方向に直交する方向の横断面において底部の両側にそれぞれ起立部を有する溝形状をなす溝形断面材からなり、
前記底部が対象壁状面に固定される基部であり、
前記所定方向の間隔おきに有する植栽体固定領域における両起立部がそれぞれ立上部を構成し、
それらの立上部の立上側にそれぞれ植栽体固定部が支持されている上記(2)又は(3)記載の植栽体整列支持体。
【００２２】
(4) 上記(1)乃至(3)の何れか１項に記載の植栽体整列支持体の植栽体固定領域における植栽体固定部と共に植栽体を支持するための、対象壁状面に沿って所定方向に延びるように対象壁状面に固定される植栽体整列支持体であって、
対象壁状面に固定された状態においてその対象壁状面に相対する基部と、
前記所定方向の間隔おきに設けられた植栽体固定領域を有し、
基部が対象壁状面に相対するよう対象壁状面に固定された状態において、各植栽体固定領域において、基部の一方の側部に立上部を有し、前記立上部により、植栽体固定部が対象壁状面から離隔した位置に支持され、
前記植栽体固定領域の１以上において、所定方向に相対する一対の前記植栽体固定部が前記支持部により支持される植栽体支持体。
【００２３】
この植栽体整列支持体Ｘを、基部が対象壁状面に相対する状態でその対象壁状面に沿って所定方向に延びるように対象壁状面に固定支持することにより、各植栽体固定領域において、立上部により対象壁状面から離隔した位置に支持された植栽体固定部により、それぞれ、植栽体の被固定部を固定支持することができる。
【００２４】
この植栽体整列支持体Ｘが、基部が対象壁状面に相対する状態でその対象壁状面に沿って所定方向に延びるように対象壁状面に固定支持された上記(1)乃至(3)の何れか１項に記載の植栽体整列支持体Ｐの一方の側に離隔した位置において、前記のように対象壁状面に固定支持されることにより、植栽体整列支持体Ｐの植栽体固定部に被固定部が固定支持された植栽体Ａ１の他の被固定部を、植栽体整列支持体Ｘの植栽体固定部によって固定支持することができる。
【００２５】
この植栽体整列支持体Ｘにおける植栽体固定領域は所定方向の間隔おきに設けられる。そのため、例えば植栽体が正面視において方形状でありその四隅部に有する各被固定部を植栽体固定部により固定支持する必要がある場合のように植栽体の形態に応じて有する各被固定部を植栽体固定部により固定支持する必要がある場合に、被固定部同士の位置関係に応じた間隔おきに植栽体固定領域を設けて各植栽体固定領域の植栽体固定部により植栽体を適切に固定支持することができる。また、複数の植栽体における各被固定部を、所定方向の間隔おきに設けられた各植栽体固定領域における植栽体固定部によりそれぞれ固定支持することにより、それらの植栽体を所定方向に整列支持することが可能である。
【００２６】
また、この植栽体整列支持体Ｘにおける１以上の各植栽体固定領域において、所定方向に相対する一対の植栽体固定部が立上部により支持されている。
【００２７】
そのため、前記植栽体整列支持体Ｐの植栽体固定領域の一方の側における所定方向に相対する一対の植栽体固定部によりそれぞれ被固定部が固定支持されている、所定方向に相対して位置する植栽体Ａ１及び植栽体Ａ２の他の被固定部を、植栽体整列支持体Ｘの植栽体固定領域における所定方向に相対する一対の植栽体固定部によってそれぞれ固定支持することができる。
【００２８】
更に、植栽体整列支持体Ｐの前記植栽体固定領域と所定方向に間隔をおいて設けられた植栽体固定領域の一方の側における所定方向に相対する一対の植栽体固定部によりそれぞれ被固定部が固定支持されている、所定方向に相対して位置する植栽体Ａ２及び植栽体Ａ３の他の被固定部を、植栽体整列支持体Ｘの前記植栽体固定領域と所定方向に間隔をおいて設けられた植栽体固定領域における所定方向に相対する一対の植栽体固定部によってそれぞれ固定支持することができる。
【００２９】
(5) 上記植栽体整列支持体が、上記所定方向に直交する方向の横断面において底部の両側にそれぞれ起立部を有する溝形状をなす溝形断面材からなり、
前記一方の起立部が対象壁状面に固定される基部であり、
前記所定方向の間隔おきに有する植栽体固定領域における前記底部が立上部を構成し、
その立上部の上側に支持される前記他方の起立部に植栽体固定部が設けられている上記(4)記載の植栽体整列支持体。
【００３０】
(6) 上記基部と立上部と植栽体固定部が一体的に成形されたものである上記(1)乃至(5)の何れか１項に記載の植栽体整列支持体。
【００３１】
(7) 上記(1)乃至(3)の何れか１項に記載の植栽体整列支持体が１又は２以上、上記(4)又は(5)に記載の植栽体整列支持体が０又は１以上、両者の合計が２以上の植栽体整列支持体が対象壁状面に固定されており、
対象壁状面に固定されている前記２以上の植栽体整列支持体の各植栽体固定領域における植栽体固定部により植栽体が支持されてなる植栽体支持構造。
【００３２】
対象壁状面に、上記(1)乃至(3)の何れか１項に記載の植栽体整列支持体Ｐを、基部が対象壁状面に相対する状態でその対象壁状面に沿って所定方向に延びるように固定支持すると共に、植栽体整列支持体Ｐの一方の側に離隔して別の一方の上記(1)乃至(5)の何れか１項に記載の植栽体整列支持体Ｑを固定支持する。
【００３３】
植栽体整列支持体Ｐの各植栽体固定領域において、植栽体固定部は、基部の一方の側の立上部及び他方の側の立上部によりそれぞれ支持されて所定方向に交差する方向に相対して位置するので、例えば、一方側に位置する植栽体Ａ１の被固定部が一方の側の植栽体固定部により、また他方側に位置する植栽体Ｂ１の被固定部が他方の側の植栽体固定部により、それぞれ固定支持される。
【００３４】
また、前記一方側の植栽体Ａ１の他の被固定部が前記別の植栽体整列支持体Ｑの植栽体固定領域における植栽体固定部により固定支持される。前記植栽体整列支持体Ｐの他方の側に離隔して別の他方の上記(1)乃至(5)の何れか１項に記載の植栽体整列支持体Ｒを固定した場合は、同様に、その植栽体整列支持体Ｒの植栽体固定領域における植栽体固定部により前記他方側に位置する植栽体Ｂ１の他の被固定部が固定支持される。
【００３５】
各植栽体整列支持体における植栽体固定領域は所定方向の間隔おきに設けられているので、複数の植栽体における各被固定部を、所定方向の間隔おきに設けられた各植栽体固定領域における植栽体固定部によりそれぞれ固定支持することにより、それらの植栽体が所定方向に整列支持された構造とすることができる。
【００３６】
(8) 上記所定方向が直線状である上記２以上の植栽体整列支持体が、互いに平行状に対象壁状面に固定され、各植栽体が、隣り合う植栽体整列支持体同士の植栽体固定領域の植栽体固定部により支持されている上記(7)記載の植栽体支持構造。
【００３７】
(9) 隣り合う植栽体整列支持体同士の植栽体固定領域が上記所定方向に直交する方向において隣り合っている上記(8)記載の植栽体支持構造。
【００３８】
(10) 対象壁状面に固定される植栽体支持体であって、
対象壁状面に固定された状態においてその対象壁状面に相対する基部の両側部に、互いに相対する立上部をそれぞれ有し、
前記基部が対象壁状面に相対するよう対象壁状面に固定された状態において、前記基部の一方の側の立上部及び前記基部の他方の側の立上部により、それぞれ植栽体固定部が対象壁状面から離隔した位置に支持され、
前記基部の一方の側の立上部により支持される植栽体固定部と、前記基部の他方の側の立上部により支持される植栽体固定部は、前記両立上部が相対する方向に相対して位置することを特徴とする植栽体支持体。
【００３９】
植栽体支持体を対象壁状面の必要箇所に固定し、対象壁状面に固定した植栽体整列支持体と植栽体支持体を組み合わせて植栽体を支持することができる。
【００４０】
(11) 上記基部の一方の側の立上部及び上記基部の他方の側の立上部により、それぞれ、両立上部が相対する方向に直交すると共に基部に平行な方向に相対する一対の上記植栽体固定部が支持され、
前記基部の一方の側の立上部により支持される前記一対の植栽体固定部と、前記基部の他方の側の立上部により支持される前記一対の植栽体固定部は、前記両立上部が相対する方向に相対して位置する上記(10)記載の植栽体支持体。
【００４１】
(12) 上記植栽体支持体が、上記両立上部が相対する方向の横断面において底部の両側にそれぞれ起立部を有する溝形状をなす溝形断面材からなり、
前記底部が対象壁状面に固定される基部であり、
前記両起立部がそれぞれ立上部を構成し、
それらの立上部の立上側にそれぞれ植栽体固定部が支持されている上記(10)又は(11)記載の植栽体支持体。
【発明の効果】
【００４２】
本発明の植栽体整列支持体を、基部が対象壁状面に相対する状態でその対象壁状面に沿って所定方向に延びるように対象壁状面に固定支持することにより、各植栽体固定領域において、基部の一方の側の立上部及び他方の側の立上部によりそれぞれ対象壁状面から離隔した位置に支持された植栽体固定部により、それぞれ、植栽体の被固定部を固定支持することができる。また、複数の植栽体における各被固定部を、所定方向の間隔おきに設けられた各植栽体固定領域における植栽体固定部によりそれぞれ固定支持することにより、それらの植栽体を所定方向に整列支持することが可能である。
【００４３】
本発明の植栽体支持構造においては、対象壁状面に固定された２以上の植栽体整列支持体の両側又は片側に、それぞれ植栽体が支持された構造、例えば複数の植栽体が所定方向に整列支持された構造とすることができる。
【００４４】
本発明の植栽体支持体を対象壁状面に固定して植栽体整列支持体と共に用いることにより、対象壁状面の形態等に柔軟に対応して適切に植栽体の固定支持を行うことができる。
【図面の簡単な説明】
【００４５】
【図１】組み立て中の植栽体支持構造の斜視図である。
【図２】図１の要部拡大図である。
【図３】植栽体の正面図である。
【図４】一般用の植栽体整列支持体の斜視図である。
【図５】一般用の植栽体整列支持体の植栽体固定部にボルトが固定された状態の要部拡大図である。
【図６】一般用の植栽体整列支持体の正面図である。
【図７】側縁部用の植栽体整列支持体の拡大斜視図である。
【図８】植栽体支持体の拡大斜視図である。
【発明を実施するための形態】
【００４６】
[1] 本発明の実施の形態を、図面を参照しつつ説明する。
【００４７】
図面は何れも本発明の実施の形態の例に関するものである。
【００４８】
(1) 対象壁状面
【００４９】
対象壁状面Ｗは、建築物の垂直外壁面である。
【００５０】
植栽体整列支持体Ｐ−Ｕは、垂直状の対象壁状面Ｗに沿って上下垂直方向の直線に沿って延びるように対象壁状面Ｗに固定される。
【００５１】
(2) 植栽体
【００５２】
植栽体Ａ１−Ｅ１（Ａ２−Ａ４、Ｂ２−Ｂ４等を含む）は、対象壁状面Ｗを緑化するための植物を栽培するための盤状体であり、栽培植物が表れる部分である植物栽培面１０を垂直状に配置して使用し得るもの（すなわち垂直面に沿って植物が栽培され得るもの）である。植栽体Ａ１−Ｅ１の形状は、正面である植物栽培面１０がほぼ正方形状でほぼ所定厚さの正方形盤状である。
【００５３】
この植栽体Ａ１−Ｅ１は、植物栽培面１０を垂直状とした状態において前方開口の生育体収容保持部１２が上下又は上下左右に配列され、各生育体収容保持部１２にフェルト又はその他の繊維集合体からなる植物根生育体（例えばフェルト状物を巻いて略円柱状としたもの）を収容して植物を栽培し得るものである。
【００５４】
植物栽培面１０の四隅部には、ボルト６０の軸部を挿通して固定支持するための植栽体Ａ１−Ｅ１を貫通する挿通孔である被固定部１４が設けられている。
【００５５】
ここに示す実施の形態の例において植栽体整列支持体Ｐ−Ｕにより支持される複数の植栽体Ａ−Ｅは同一物とする。
【００５６】
(3) 植栽体整列支持体及び植栽体支持体
【００５７】
植栽体Ａ１−Ｅ１の支持は、一般用の植栽体整列支持体Ｐ−Ｕを用いて行うことができるが、一般用の植栽体整列支持体Ｐ−Ｕと共に側縁部用の植栽体整列支持体Ｘや植栽体支持体Ｚを用いることもできる。
【００５８】
一般用の植栽体整列支持体Ｐ−Ｕ及び側縁部用の植栽体整列支持体Ｘは、何れも基部Ｆと植栽体固定領域を有し、垂直状の対象壁状面Ｗに沿って上下垂直方向に延びるように対象壁状面Ｗに固定される。
【００５９】
植栽体固定領域は、植栽体Ａ１−Ｅ１の一辺の長さに適合するように植栽体整列支持体の所定方向（対象壁状面Ｗに固定された場合の上下垂直方向）の等間隔おきに多数設けられている。
【００６０】
(3-1) 一般用の植栽体整列支持体
【００６１】
一般用の植栽体整列支持体Ｐ−Ｕは、垂直状の対象壁状面Ｗに沿って上下垂直方向に延びるように対象壁状面Ｗに固定された状態において、所定方向である垂直方向に直交する方向（ここに示す実施の形態の例においては水平方向）の横断面において底部２０の両側にそれぞれほぼ垂直状（やや左右拡開状）に起立する起立部２２を有する左右対称状の溝形状をなす溝形断面材からなる。
【００６２】
溝形状断面の底部２０が対象壁状面Ｗに固定される基部Ｆであり、基部Ｆは、上下垂直方向に細長く延びる平板状であり、その外側面である裏面全体が接する状態で対象壁状面Ｗに固定される。
【００６３】
所定方向の等間隔おきに有する植栽体固定領域において、両起立部２２がそれぞれ立上部Ｇを構成し、両立上部Ｇの立上側（基部Ｆから離隔する側）にそれぞれ植栽体固定部（Ｐ１ｃ・Ｐ１ｄ・Ｑ１ｃ・Ｑ１ｄ・Ｒ１ｃ・Ｒ１ｄ等）が支持されている。この場合の植栽体固定部は、両立上部Ｇの立上側（基部Ｆから離隔する側）がそれぞれ外側に９０度折曲して対象壁状面Ｗに対し平行状をなす左右対称状の両拡開部Ｈに設けられている。
【００６４】
拡開部Ｈに設けられた植栽体固定部は、対象壁状面Ｗに植栽体整列支持体Ｐ−Ｕが固定された状態におけるボルト頭部挿通孔部の下方部とボルト軸部挿通孔の上方部が通じたボルト挿通孔部（上部側が大きい瓢箪形状をなす）である。その植栽体固定部としてのボルト軸部挿通孔にボルト軸部が嵌合して表側にボルト軸部の端部側を突出し、裏側にボルト頭部が位置する状態で表側において軸部に外嵌したプッシュナットにより拡開部Ｈに固定されたボルト６０を介して、その植栽体固定部により植栽体Ａ１−Ｅ１の被固定部１４を固定支持することができる。
【００６５】
これらの基部Ｆと植栽体固定領域と植栽体固定部は、鋼材により一体的に成形されている。
【００６６】
一般用の植栽体整列支持体Ｐ−Ｕの植栽体固定領域のうち、上端部及び下端部に位置するものにおいては、両拡開部Ｈにおける所定方向に直交する方向に対称状をなす位置に１つずつ植栽体固定部を有する。
【００６７】
中間位置に位置する植栽体固定領域においては、両拡開部Ｈのそれぞれにおける所定方向に対称状に相対する一対の位置に１つずつ（合計４つ）の植栽体固定部を有し、両拡開部Ｈにおける一対の位置の植栽体固定部同士が所定方向に直交する方向において対称状に相対する。
【００６８】
従って、一般用の植栽体整列支持体Ｐ−Ｕは、上下方向の２列に植栽体固定部を有する。
【００６９】
所定方向に隣り合う植栽体固定領域同士において相対する植栽体固定部同士の距離は、植栽体Ａ１−Ｅ１の一辺における被固定部１４同士の距離に対応する。
【００７０】
上端の植栽体固定領域における両立上部Ｇ並びに中間位置の各植栽体固定領域における両立上部Ｇには、所定方向に直交（又は交差）する方向に潅水用パイプ５２（例えば、内部に通水し、外周壁に設けた多数の細孔を通じて植栽体Ａ１−Ｅ１に潅水し得るもの）を挿通し得る挿通孔５０を有する。
【００７１】
(3-2) 側縁部用の植栽体整列支持体
【００７２】
側縁部用の植栽体整列支持体Ｘは、垂直状の対象壁状面Ｗに沿って上下垂直方向に延びるように対象壁状面Ｗに固定された状態において、所定方向である垂直方向に直交する方向（ここに示す実施の形態の例においては水平方向）の横断面において底部３０の両側にそれぞれ垂直状に非対称状に（一方の側が他方の側より高く）起立する起立部３２・３４を有する溝形状をなす溝形断面材からなる。
【００７３】
溝形状断面における高い方の起立部３２が対象壁状面Ｗに固定される基部Ｆである。基部Ｆは、上下垂直方向に細長く延びる平板状であり、その外側面である裏面全体が接する状態で対象壁状面Ｗに固定される。
【００７４】
所定方向の等間隔おきに有する植栽体固定領域Ｘ１・Ｘ２において、前記溝形状断面における底部３０が立上部Ｇを構成し、その立上部Ｇの立上側（基部Ｆから離隔する側）に支持される前記他方の起立部３４に、一般用の植栽体整列支持体における植栽体固定部と同様の、植栽体固定部Ｘ１ｃ・Ｘ２ａ・Ｘ２ｃとしてのボルト軸部挿通孔が形成されている。その植栽体固定部に一般用の植栽体整列支持体におけると同様に固定されたボルトを介して、その植栽体固定部により植栽体Ａ１−Ｅ１の被固定部１４を固定支持することができる。
【００７５】
これらの基部Ｆと植栽体固定領域と植栽体固定部は、鋼材により一体的に成形されている。
【００７６】
側縁部用の植栽体整列支持体Ｘの植栽体固定領域のうち、上端部に位置する植栽体固定領域Ｘ１においては、植栽体固定部Ｘ１ｃを１つ有する。下端部も同様である。
【００７７】
中間位置に位置する植栽体固定領域Ｘ２においては、所定方向に対称状に相対する一対の位置に１つずつの植栽体固定部Ｘ２ａ・Ｘ２ｃを有する。
【００７８】
従って、側縁部用の植栽体整列支持体Ｘは、上下方向の１列に植栽体固定部を有する。
【００７９】
所定方向に隣り合う植栽体固定領域同士において相対する植栽体固定部同士の距離は、植栽体Ａ１−Ｅ１の一辺における被固定部１４同士の距離に対応する。
【００８０】
植栽体固定領域における立上部Ｇには、一般用の植栽体整列支持体と同様に潅水用パイプを挿通し得る挿通孔を有するものとすることが好ましい。
【００８１】
(3-3) 植栽体支持体
【００８２】
植栽体支持体Ｚは、横断面において底部７０の両側にそれぞれ垂直状に起立する起立部７２を有する左右対称状の溝形状をなす溝形断面材からなる。
【００８３】
溝形状断面の底部７０が対象壁状面Ｗに固定される基部Ｆであり、基部Ｆは、方形平板状であり、その外側面である裏面全体が接する状態で対象壁状面Ｗに固定される。
【００８４】
両起立部７２がそれぞれ立上部Ｇを構成し、両立上部Ｇの立上側（基部Ｆから離隔する側）にそれぞれ植栽体固定部Ｚａ・Ｚｂが支持されている。この場合の植栽体固定部は、両立上部Ｇの立上側（基部Ｆから離隔する側）がそれぞれ外側に９０度折曲して対象壁状面Ｗに対し平行状をなす左右対称状の両拡開部Ｈに設けられている。
【００８５】
両拡開部Ｈには、一般用の植栽体整列支持体Ｐ−Ｕにおける植栽体固定部と同様の、植栽体固定部としてのボルト軸部挿通孔が形成されている。その植栽体固定部に一般用の植栽体整列支持体Ｐ−Ｕにおけると同様に固定されたボルトを介して、その植栽体固定部により植栽体の被固定部１４を固定支持することができる。
【００８６】
これらの基部Ｆと立上部Ｇと植栽体固定部は、鋼材により一体的に成形されている。
【００８７】
植栽体支持体Ｚは、両拡開部Ｈにおける両立上部Ｇが相対する方向に対称状をなす位置に１つずつ植栽体固定部を有する。
【００８８】
(4) 植栽体支持構造
【００８９】
(4-1) 図１乃至図３に組み立て中として示す植栽体支持構造は、一般用の植栽体整列支持体Ｐ−Ｕのみにより植栽体Ａ１−Ｅ１を支持する構造の一例である。
【００９０】
複数の同一の一般用の植栽体整列支持体Ｐ・Ｑ・Ｒ等を、垂直状の対象壁状面Ｗに沿って上下垂直方向に延びるように並列状にその対象壁状面Ｗに固定する。固定は、基部Ｆに設けた固定用孔（切欠）４０を用いてボルトにより行うことができるが、これに限るものではない。
【００９１】
一般用の植栽体整列支持体Ｐ−Ｕ同士の間隔は、所定方向に直交する方向に隣り合う植栽体固定領域同士において相対する植栽体固定部同士の距離が、植栽体Ａ１−Ｅ１の一辺における被固定部１４同士の距離に対応するように設定されている。
【００９２】
左端に位置する植栽体整列支持体Ｐの上端の植栽体固定領域Ｐ１は左右の拡開部Ｈにそれぞれ植栽体固定部Ｐ１ｃ・Ｐ１ｄを有し、下端の植栽体固定領域Ｐ５は左右の拡開部Ｈにそれぞれ植栽体固定部Ｐ５ａ・Ｐ５ｂを有し、中間の植栽体固定領域Ｐ２は、左の拡開部Ｈの上下に植栽体固定部Ｐ２ａ・Ｐ２ｃ、右の拡開部Ｈの上下に植栽体固定部Ｐ２ｂ・Ｐ２ｄを有し、他の中間の植栽体固定領域Ｐ３・Ｐ４も同様に植栽体固定部Ｐ３ａ・Ｐ３ｂ・Ｐ３ｃ・Ｐ３ｄ、植栽体固定部Ｐ４ａ・Ｐ４ｂ・Ｐ４ｃ・Ｐ４ｄを有する。左から２番目及び３番目に位置する植栽体整列支持体Ｑ及びＲの各植栽体固定領域も同様に植栽体固定部を有する。
【００９３】
植栽体整列支持体Ｐと植栽体整列支持体Ｑの間には、上から順に植栽体Ａ１乃至Ａ４が、植物栽培面１０が垂直状に正面を向く状態で上下整列状に固定支持されている。
【００９４】
植栽体Ａ１の四隅（左上、右上、左下、右下）の被固定部１４は、それぞれ植栽体固定部Ｐ１ｄ、Ｑ１ｃ、Ｐ２ｂ及びＱ２ａによって、それらの植栽体固定部に固定されたボルト６０を介して固定支持されている。植栽体Ａ１の左側面は、植栽体整列支持体Ｐにおける植栽体固定領域Ｐ１と植栽体固定領域Ｐ２の間の右側の起立部２２に相対し、植栽体Ａ１の右側面は、植栽体整列支持体Ｑにおける植栽体固定領域Ｑ１と植栽体固定領域Ｑ２の間の左側の起立部２２に相対している。
【００９５】
植栽体Ａ２の四隅の被固定部１４は、それぞれ植栽体固定部Ｐ２ｄ、Ｑ２ｃ、Ｐ３ｂ及びＱ３ａによって、それらの植栽体固定部に固定されたボルト６０を介して固定支持されている。
【００９６】
植栽体Ａ４の四隅の被固定部１４は、それぞれ植栽体固定部Ｐ４ｄ、Ｑ４ｃ、Ｐ５ｂ及びＱ５ａによって、それらの植栽体固定部に固定されたボルト６０を介して固定支持されている。
【００９７】
植栽体Ａ２及びＡ４の各左右側面は、植栽体Ａ１と同様に、それぞれ植栽体整列支持体Ｐにおける右側の起立部２２及び植栽体整列支持体Ｑにおける左側の起立部２２に相対している。
【００９８】
植栽体整列支持体Ｑと植栽体整列支持体Ｒの間には、上から順に植栽体Ｂ１乃至Ｂ４が同様に固定支持されている。
【００９９】
植栽体Ｂ１の四隅（左上、右上、左下、右下）の被固定部１４は、それぞれ植栽体固定部Ｑ１ｄ、Ｒ１ｃ、Ｑ２ｂ及びＲ２ａによって、それらの植栽体固定部に固定されたボルト６０を介して固定支持されている。
【０１００】
植栽体Ｂ３の四隅の被固定部１４は、それぞれ植栽体固定部Ｑ３ｄ、Ｒ３ｃ、Ｑ４ｂ及びＲ４ａによって、それらの植栽体固定部に固定されたボルト６０を介して固定支持されている。
【０１０１】
植栽体Ａ１と植栽体Ｂ１は水平方向に整列している。植栽体Ａ２と植栽体Ｂ２等も同様である。
【０１０２】
このようにして、多数の植栽体Ａ１−Ｅ１が、植物栽培面１０が垂直状に正面を向く状態で上下左右に整列して対象壁状面Ｗに沿って固定支持されている。
【０１０３】
(4-2) 一般用植栽体整列支持体Ｐ−Ｕは上下方向の２列に植栽体固定部を有するので、上記例においては左端に位置する一般用植栽体整列支持体Ｐの外側の１列の植栽体固定部Ｐ１ｃ・Ｐ２ａ・Ｐ２ｃ・Ｐ３ａ・Ｐ３ｃ・Ｐ４ａ・Ｐ４ｃ・Ｐ５ａは使用されない。右端に位置する一般用植栽体整列支持体Ｕの外側の植栽体固定部も同様である。
【０１０４】
これらの一般用植栽体整列支持体Ｐ・Ｕに替えて、上下方向の１列に植栽体固定部を有する側縁部用の植栽体整列支持体Ｘを左端及び右端に用いることもできる。
【０１０５】
(4-3) 対象壁状面Ｗの形態等の状況に応じて、一般用植栽体整列支持体Ｐ−Ｕと共に、或いは、一般用植栽体整列支持体Ｐ−Ｕ及び側縁部用の植栽体整列支持体Ｘと共に植栽体支持体Ｚを用いて多数の植栽体を対象壁状面Ｗに沿って固定支持することもできる。
【０１０６】
また、一般用植栽体整列支持体Ｐ−Ｕ及び側縁部用の植栽体整列支持体Ｘの向きを全て又は一部変えることにより様々な配置で植栽体を対象壁状面Ｗに沿って固定支持することもできる。
【０１０７】
[2] 本発明の実施の形態を、上記以外の形態を含めて更に説明する。
【０１０８】
本発明の（一般用の、又は、側縁部用の）植栽体整列支持体は、対象壁状面に沿って所定方向に延びるように対象壁状面に固定されるものであり、基部と植栽体固定領域を有する。
【０１０９】
また本発明の植栽体支持構造は、対象壁状面に固定された複数の本発明の植栽体整列支持体により植栽体が支持されてなるものである。
【０１１０】
また本発明の植栽体支持体は、対象壁状面に固定されるものであり、基部と立上部を有する。
【０１１１】
(1) 対象壁状面
【０１１２】
対象壁状面の例としては、建築物やその他の構造物の外壁面又はその他の垂直面又は傾斜面（例えば２５度以上の傾斜面、或いは、３０度以上、４５度以上、６０度以上、又は７０度以上の傾斜面）を挙げることができる。
【０１１３】
植栽体整列支持体は、対象壁状面に沿って所定方向に延びるように対象壁状面に固定される。
【０１１４】
対象壁状面に沿って所定方向にというのは、通常は所定の直線方向であるが、必ずしも直線に限るものではない。直線方向としては、水平方向に対し直交する方向（対象壁状面が垂直面である場合は上下垂直方向）とすることが一般的には好ましいが、水平方向又はその他の方向とすることも可能である。
【０１１５】
植栽体支持体は対象壁状面に固定される。植栽体支持体は、対象壁状面に固定される植栽体整列支持体の所定方向の延長線上に固定することもできる。
【０１１６】
(2) 基部
【０１１７】
植栽体整列支持体及び植栽体支持体の基部は、対象壁状面に固定された状態においてその対象壁状面に相対するものであり、平板状で全体が対象壁状面に接するものとすることができるほか、例えば、植栽体整列支持体の場合は前記所定方向に直交する方向において、植栽体支持体においては両立上部が互いに相対する方向において、中央部又は中央部を挟む対称位置に対象壁状面に接しない突起部を有する板状又はその他の形状をなすもの、前記所定方向又は両立上部が互いに相対する方向に直交する方向における間隔おきに対象壁状面に接しない突起部又は対象壁状面に接する突起部を有する板状又はその他の形状をなすもの等、部分的に対象壁状面に接しないものとすることもできる。
【０１１８】
(3) 植栽体
【０１１９】
(3-1) 植栽体固定領域において固定される植栽体は、壁面等を緑化するための植物を栽培するためのものであり、栽培植物が表れる部分である植物栽培面を垂直状又は傾斜状に配置して使用し得るもの（すなわち垂直状又は傾斜状の対象壁状面に沿って植物が栽培され得るもの）であることが望ましい。
【０１２０】
(3-2) このような植栽体の例としては、フェルト又はその他の繊維集合体からなる植物生育材を箱状体又は枠状体に収容し、垂直状又は傾斜状をなす開口部からその植物生育材が離脱することを複数のワイヤー、ワイヤーメッシュ又は網状体等の離脱防止体により防止するもの、植物栽培面を垂直状とした状態において前方開口の生育体収容保持部が上下又は上下左右に配列され、各生育体収容保持部にフェルト又はその他の繊維集合体からなる植物根生育体（例えばフェルト状物を巻いて略円柱状としたもの）を収容して植物を栽培し得るもの、つる植物の登攀茎が絡み付いて生育するのに特に適した網状体（例えばワイヤーメッシュ、メタルラス等）を備える又はその網状体からなるもの等が挙げられるが、これらに限るものではない。
【０１２１】
(3-3) 植栽体の形状としては、例えば、植物栽培面がほぼ方形状でほぼ所定厚さの方形板状又は直方体形状をなすものを挙げることができるが、これに限るものではない。
【０１２２】
(3-4) 植栽体整列支持体又は植栽体支持体に対する植栽体の固定は、植栽体の植物栽培面に向かって外周部における要所（例えば植物栽培面に向かっての四隅部）に設けられた被固定部（例えば植栽体を貫通する挿通孔）を用いて行うものとすることができるが、これに限るものではない。
【０１２３】
植栽体において植栽体整列支持体又は植栽体支持体により支持される被固定部の態様や複数の被固定部の位置関係は、一定であることが好ましい。支持される植栽体が全て同一であるものとすることもできる。
【０１２４】
(4) 植栽体整列支持体の植栽体固定領域及び植栽体支持体
【０１２５】
植栽体整列支持体の植栽体固定領域は、固定支持する植栽体に適合するように植栽体整列支持体の前記所定方向の間隔おき（一般には等間隔おき）に設けられている。
【０１２６】
(4-1) 各植栽体固定領域及び植栽体支持体には、基部が対象壁状面に相対するよう対象壁状面に固定された状態において、立上部により対象壁状面から離隔した位置に支持される植栽体固定部を有する。基部と立上部と植栽体固定部は一体的に成形されたものとすることができる。
【０１２７】
植栽体固定部としては、例えば、ボルト固定用のボルト軸挿通孔、ボルト軸部が嵌合し得るボルト軸部挿通孔の一部とボルト頭部挿通可能孔の一部が通じた孔部でボルト軸部はボルト頭部挿通孔部とボルト軸部挿通孔の何れにも挿通し得て両者間を移動し得るがボルト頭部はボルト軸部挿通孔に挿通し得ない表側から挿通してボルト頭を裏側に位置させ得るボルト挿通孔部（例えば、植栽体整列支持体が対象壁状面に固定された状態においてボルト頭部挿通孔部の下方部とボルト軸部挿通孔の上方部が通じたボルト挿通孔部）、植栽体整列支持体に設けられたボルト用雌螺子部等を挙げることができるが、これらに限るものではない。
【０１２８】
植栽体の被固定部の、植栽体固定部による固定支持は、例えば、植栽体固定部としてのボルト軸挿通孔に挿通固定されたボルト、溶接等により植栽体固定部に固定されたボルト、前記植栽体固定部としてのボルト挿通孔部におけるボルト軸部挿通孔にボルト軸部が嵌合して表側にボルト軸部の端部側を突出し裏側にボルト頭部が位置する状態でプッシュナット等によりその植栽体固定部に固定されたボルト等を介して行うことができる。
【０１２９】
(4-2) （主に）一般用の植栽体整列支持体
【０１３０】
植栽体固定領域における基部の一方の側の立上部により支持される植栽体固定部と、基部の他方の側の立上部により支持される植栽体固定部が、所定方向に交差（好ましくは直交）する方向に相対して（例えば、支持される植栽体同士の間隔に対応する程度に近接して）位置する。例えば、基部の一方の側の立上部により支持される植栽体固定部により、植栽体整列支持体の一方の側に一方の植栽体の被固定部を支持し、他方の側の立上部により支持される植栽体固定部により、植栽体整列支持体の他方の側に他方の植栽体の被固定部を支持し得る。
【０１３１】
また、植栽体固定領域の１以上において、基部の一方の側の立上部及び基部の他方の側の立上部により、それぞれ、所定方向に（例えば、支持される植栽体同士の間隔に対応する程度に近接して）相対する一対の植栽体固定部が支持され、前記基部の一方の側の立上部により支持される一対の植栽体固定部と、前記基部の他方の側の立上部により支持される一対の植栽体固定部は、所定方向に交差（好ましくは直交）する方向に相対して位置する。この植栽体固定領域においては、例えば、基部の一方の側の立上部により支持される所定方向に相対する一対の植栽体固定部により、植栽体整列支持体の一方の側における所定方向の一方及び他方に、それぞれ第１の植栽体の被固定部及び第２の植栽体の被固定部を支持し、他方の側の立上部により支持される所定方向に相対する一対の植栽体固定部により、植栽体整列支持体の他方の側における所定方向の一方及び他方に、それぞれ第３の植栽体の被固定部及び第４の植栽体の被固定部を支持し得る。
【０１３２】
例えば、一般用の植栽体整列支持体の所定方向の間隔おきに設けられる植栽体固定領域のうち、両端部又は一方の端部に位置するものにおいては、所定方向に交差（好ましくは直交）する方向に相対する一対の位置にそれぞれ（例えば所定方向に直交する方向に対称状に１つずつ）植栽体固定部を有し、中間位置に位置する植栽体固定領域においては、所定方向に交差（好ましくは直交）する方向において相対する一対の位置においてそれぞれ前記所定方向に相対する一対の位置にそれぞれ（例えば所定方向に直交する方向に対称状であり且つ所定方向に対称状に１つずつ、合計４つ）植栽体固定部を有するものとすることができる。
【０１３３】
また一般用の植栽体整列支持体は、例えば、所定方向に直交する方向の横断面において底部の両側にそれぞれほぼ垂直状（例えばやや左右拡開状）に起立する起立部を有する溝形状をなす溝形断面材からなり、前記底部が対象壁状面に固定される基部であり、所定方向の間隔おきに有する植栽体固定領域における両起立部がそれぞれ立上部を構成し、両立上部の立上側（基部から離隔する側）にそれぞれ植栽体固定部が支持されているものとすることができる。この場合の植栽体固定部は、例えば、両立上部の立上側（基部から離隔する側）がそれぞれ外側に９０度折曲して対象壁状面に対し平行状をなす拡開部に設けることができる。
【０１３４】
(4-3) （主に）側縁部用の植栽体整列支持体（一般用の植栽体整列支持体と共に用いることができる）
【０１３５】
基部の一方の側部に有する立上部により、植栽体固定部が支持される。例えば、基部の一方の側部の立上部により支持される植栽体固定部により、植栽体整列支持体の一方の側に植栽体の被固定部を支持し得る。
【０１３６】
また、植栽体固定領域の１以上において、所定方向に（例えば、支持される植栽体同士の間隔に対応する程度に近接して）相対する一対の植栽体固定部が支持される。例えば、基部の一方の側部の立上部により支持される所定方向に相対する一対の植栽体固定部により、植栽体整列支持体の一方の側における所定方向の一方及び他方に、それぞれ第１の植栽体の被固定部及び第２の植栽体の被固定部を支持し得る。
【０１３７】
例えば、側縁部用の植栽体整列支持体の所定方向の間隔おきに設けられる植栽体固定領域のうち、両端部又は一方の端部に位置するものにおいては、植栽体固定部を１つ有し、中間位置に位置する植栽体固定領域におい前記所定方向に相対する一対の位置にそれぞれ（例えば所定方向に直交する方向に対称状に１つずつ）植栽体固定部を有するものとすることができる。
【０１３８】
また、側縁部用の植栽体整列支持体は、例えば、所定方向に直交する方向の横断面において底部の両側にそれぞれ起立部（例えば一方が他方より低い左右非対称状）を有する溝形状をなす溝形断面材からなり、前記一方の起立部が対象壁状面に固定される基部であり、所定方向の間隔おきに有する植栽体固定領域における前記底部が立上部を構成し、その立上部の立上側（基部から離隔する側）に支持される前記他方の起立部に植栽体固定部を設けることができる。
【０１３９】
(4-4) 植栽体支持体においては、基部の一方の側の立上部により支持される植栽体固定部と、基部の他方の側の立上部により支持される植栽体固定部が、両立上部が相対する方向に相対して（例えば、支持される植栽体同士の間隔に対応する程度に近接して）位置する。例えば、基部の一方の側の立上部により支持される植栽体固定部により、植栽体支持体の一方の側に一方の植栽体の被固定部を支持し、他方の側の立上部により支持される植栽体固定部により、植栽体支持体の他方の側に他方の植栽体の被固定部を支持し得る。
【０１４０】
また、基部の一方の側の立上部及び基部の他方の側の立上部により、それぞれ、両立上部が相対する方向に直交すると共に基部に平行な特定方向に（例えば、支持される植栽体同士の間隔に対応する程度に近接して）相対する一対の植栽体固定部が支持され、前記基部の一方の側の立上部により支持される一対の植栽体固定部と、前記基部の他方の側の立上部により支持される一対の植栽体固定部は、両立上部が相対する方向に相対して位置するものとすることができる。この場合、例えば、基部の一方の側の立上部により支持される特定方向に相対する一対の植栽体固定部により、植栽体支持体の一方の側における特定方向の一方及び他方に、それぞれ第１の植栽体の被固定部及び第２の植栽体の被固定部を支持し、他方の側の立上部により支持される特定方向に相対する一対の植栽体固定部により、植栽体支持体の他方の側における特定方向の一方及び他方に、それぞれ第３の植栽体の被固定部及び第４の植栽体の被固定部を支持し得る。
【０１４１】
例えば、両立上部が相対する方向に相対する一対の位置にそれぞれ（例えば両立上部が相対する方向に対称状に１つずつ）植栽体固定部を有するものとすることができる。又は例えば、両立上部が相対する方向に相対する一対の位置においてそれぞれ特定方向に相対する一対の位置にそれぞれ（例えば両立上部が相対する方向に対称状であり且つ特定方向に対称状に１つずつ、合計４つ）植栽体固定部を有するものとすることができる。
【０１４２】
また植栽体支持体は、例えば、上記両立上部が相対する方向の横断面において底部の両側にそれぞれ起立部を有する溝形状をなす溝形断面材からなり、前記底部が対象壁状面に固定される基部であり、前記両起立部がそれぞれ立上部を構成し、それらの立上部の立上側（基部から離隔する側）にそれぞれ植栽体固定部が支持されているものとすることができる。
【０１４３】
(5) 植栽体支持構造
【０１４４】
(5-1) 本発明の植栽体支持構造は、対象壁状面に、一般用の植栽体整列支持体が１又は２以上、側縁部用の植栽体整列支持体が０又は１以上、両者の合計が２以上固定されており、対象壁状面に固定されている前記２以上の植栽体整列支持体の各植栽体固定領域における植栽体固定部により植栽体が支持されてなるものである。
【０１４５】
より具体的には、植栽体整列支持体の所定方向が直線状である場合の例として、
・一般用の植栽体整列支持体が２又は３以上、対象壁状面に対し（例えば所定方向が垂直方向となるように又は水平方向となるように）並列状に間隔おきに固定し、各植栽体が、隣り合う植栽体整列支持体同士の植栽体固定領域の植栽体固定部により支持されているもの、
・一般用の植栽体整列支持体が１又は２以上、対象壁状面に対し（例えば所定方向が垂直方向となるように又は水平方向となるように）並列状に間隔おきに固定し、その両側に間隔をおいて並列状に側縁部用の植栽体整列支持体をそれぞれ固定し、各植栽体が、隣り合う植栽体整列支持体同士の植栽体固定領域の植栽体固定部により支持されているもの、
・一般用の植栽体整列支持体が３以上、対象壁状面に対し（例えば所定方向が垂直方向となるように又は水平方向となるように）並列状に間隔おきに固定し、それらの一方の端部又は両方の端部にそれぞれ間隔をおいて直交状に一般用の植栽体整列支持体又は側縁部用の植栽体整列支持体を固定し、各植栽体が、並列状に隣り合う植栽体整列支持体同士の植栽体固定領域の植栽体固定部により支持されるか、又は、並列状に隣り合う植栽体整列支持体における隣り合う端部の各植栽体固定領域の植栽体固定部と、それらの端部と間隔をおいて直交状に対峙している植栽体整列支持体における植栽体固定領域の植栽体固定部により支持されているもの
等を挙げることができる。
【０１４６】
また、更に植栽体支持体を対象壁状面の必要箇所に固定し、植栽体整列支持体と植栽体支持体を組み合わせて植栽体が支持されたものとすることもできる。
【０１４７】
(5-2) 所定方向が直線状である２以上の植栽体整列支持体が、互いに平行状に対象壁状面に固定され、各植栽体が、隣り合う植栽体整列支持体同士の植栽体固定領域の植栽体固定部により支持される植栽体支持構造の場合、隣り合う植栽体整列支持体同士の植栽体固定領域が所定方向に直交する方向において隣り合っており、それらの隣り合う植栽体固定領域の植栽体固定部により各植栽体が支持されるものとすることができる。
【０１４８】
(5-3) 植栽体整列支持体における植栽体固定領域同士の間隔及び隣り合う植栽体整列支持体同士の間隔は、支持される植栽体における被固定部同士の間隔に対応するものとすることができる。すなわち、例えば、植栽体の被固定部が所定の方形の各頂点に位置する場合、植栽体固定部同士の間の距離がその方形の辺の長さに対応するようにすることができる。
【符号の説明】
【０１４９】
１０      植物栽培面
１２      生育体収容保持部
１４      被固定部
２０      底部
２２      起立部
３０      底部
３２      起立部
３４      起立部
４０      固定用孔（切欠）
５０      挿通孔
５２      潅水用パイプ
６０      ボルト
７０      底部
７２      起立部
Ａ１      植栽体
Ａ２      植栽体
Ａ３      植栽体
Ａ４      植栽体
Ｂ１      植栽体
Ｂ２      植栽体
Ｂ３      植栽体
Ｂ４      植栽体
Ｃ１      植栽体
Ｄ１      植栽体
Ｅ１      植栽体
Ｆ        基部
Ｇ        立上部
Ｈ        拡開部
Ｐ        植栽体整列支持体
Ｐ１      植栽体固定領域
Ｐ１ｃ    植栽体固定部
Ｐ１ｄ    植栽体固定部
Ｐ２      植栽体固定領域
Ｐ２ａ    植栽体固定部
Ｐ２ｂ    植栽体固定部
Ｐ２ｃ    植栽体固定部
Ｐ２ｄ    植栽体固定部
Ｐ３      植栽体固定領域
Ｐ３ａ    植栽体固定部
Ｐ３ｂ    植栽体固定部
Ｐ３ｃ    植栽体固定部
Ｐ３ｄ    植栽体固定部
Ｐ４      植栽体固定領域
Ｐ４ａ    植栽体固定部
Ｐ４ｄ    植栽体固定部
Ｐ４ｃ    植栽体固定部
Ｐ４ｄ    植栽体固定部
Ｐ５      植栽体固定領域
Ｐ５ａ    植栽体固定部
Ｐ５ｂ    植栽体固定部
Ｑ        植栽体整列支持体
Ｑ１      植栽体固定領域
Ｑ１ｃ    植栽体固定部
Ｑ１ｄ    植栽体固定部
Ｑ２      植栽体固定領域
Ｑ２ａ    植栽体固定部
Ｑ２ｂ    植栽体固定部
Ｑ２ｃ    植栽体固定部
Ｑ２ｄ    植栽体固定部
Ｒ        植栽体整列支持体
Ｒ１      植栽体固定領域
Ｒ１ｃ    植栽体固定部
Ｒ１ｄ    植栽体固定部
Ｒ２      植栽体固定領域
Ｒ２ａ    植栽体固定部
Ｒ２ｂ    植栽体固定部
Ｒ２ｃ    植栽体固定部
Ｒ２ｄ    植栽体固定部
Ｒ３      植栽体固定領域
Ｒ３ａ    植栽体固定部
Ｒ３ｂ    植栽体固定部
Ｒ３ｃ    植栽体固定部
Ｒ３ｄ    植栽体固定部
Ｒ４      植栽体固定領域
Ｒ４ａ    植栽体固定部
Ｒ４ｄ    植栽体固定部
Ｒ４ｃ    植栽体固定部
Ｒ４ｄ    植栽体固定部
Ｒ５      植栽体固定領域
Ｒ５ａ    植栽体固定部
Ｒ５ｂ    植栽体固定部
Ｓ        植栽体整列支持体
Ｔ        植栽体整列支持体
Ｕ        植栽体整列支持体
Ｗ        対象壁状面
Ｘ        植栽体整列支持体
Ｘ１      植栽体固定領域
Ｘ１ｃ    植栽体固定部
Ｘ２      植栽体固定領域
Ｘ２ａ    植栽体固定部
Ｘ２ｃ    植栽体固定部
Ｚ        植栽体支持体
Ｚａ      植栽体固定部
Ｚｂ      植栽体固定部
【図１】
2019024403.tif 000003
【図２】
2019024403.tif 000004
【図３】
2019024403.tif 000005
【図４】
2019024403.tif 000006
【図５】
2019024403.tif 000007
【図６】
2019024403.tif 000008
【図７】
2019024403.tif 000009
【図８】
2019024403.tif 000010